(57)【要約】【課題】開口枠の下枠に設けた排水口からの浸水を抑制することができる建具を提供する。【解決手段】建具１０は、障子１４，１５を支持する開口枠１２の下枠１２ｂの室外側見付け面２６に、開口枠１２の内側に連通する排水口となる排水弁部品２８を設けた構成である。建具１０は、排水弁部品２８を室外側から覆う止水位置と、止水位置から移動して排水弁部品２８を覆った状態が解除される排水位置とに移動可能な止水部材４２を下枠１２ｂに設けている。【選択図】図２
2019035200.tif 000002
【特許請求の範囲】
【請求項１】
障子を支持する開口枠の下枠の室外側見付け面に、前記開口枠の内側に連通する排水口を設けた建具であって、
前記排水口を室外側から覆う止水位置と、該止水位置から移動して前記排水口を覆った状態が解除される排水位置とに移動可能な止水部材を前記下枠に設けたことを特徴とする建具。
【請求項２】
請求項１に記載の建具において、
前記止水部材は、その上端側が前記排水口の下方位置で前記下枠に取り付けられることで、前記排水口の下方に自重で垂れ下がるシート状部材であることを特徴とする建具。
【請求項３】
請求項２に記載の建具において、
前記止水部材の比重は、水の比重より小さいことを特徴とする建具。
【請求項４】
請求項２又は３に記載の建具において、
前記排水口の下方に垂れ下がった状態のシート状部材の室内側に配置される壁部材と、
前記壁部材の室外側に設けられ、前記垂れ下がった状態のシート状部材と前記壁部材との間に介在し、前記シート状部材と前記壁部材との間に水が浸入可能な間隙を形成するガイド部材と、
を備えることを特徴とする建具。
【請求項５】
請求項４に記載の建具において、
前記ガイド部材は、上方から下方に向かって次第に室外側に向かって突出するように傾斜した傾斜部を有し、該傾斜部が前記垂れ下がった状態のシート状部材に当接配置されることを特徴とする建具。
【請求項６】
請求項１〜５のいずれか１項に記載の建具において、
前記止水部材との間に隙間を設けた状態で、少なくとも前記止水部材の側方を室外側から囲む側面壁を有したカバー部材を備えることを特徴とする建具。
【請求項７】
障子を支持する開口枠の下枠の室外側見付け面に、前記開口枠の内側に連通する排水口を設けた建具であって、
その上端側が前記排水口の下方位置で前記下枠に取り付けられることで、前記排水口の下方に自重で垂れ下がるシート状部材を備えることを特徴とする建具。
【発明の詳細な説明】
【技術分野】
【０００１】
本発明は、開口枠の下枠に排水口を設けた建具に関する。
【背景技術】
【０００２】
スライディング窓等の建具では、障子を支持する開口枠の内側に浸入した結露水等を室外に排出するための排水口を下枠の室外側見付け面に設けた構成が広く用いられている。例えば、特許文献１には、開口枠の内側から流出する結露水等によって開閉する排水弁部品を排水口に設けた構成が開示されている。
【先行技術文献】
【特許文献】
【０００３】
【特許文献１】特許第５８２２６４５号公報
【発明の概要】
【発明が解決しようとする課題】
【０００４】
上記のような排水弁部品は、排水時以外は弁が閉じているため、室外側から建具に吹き付ける雨水等が室内側に浸入することをある程度防止できる。ところが、洪水等によって建具の室外側での水位が上昇し、排水口が水没するような状況では、弁周りのヒンジや隙間等から浸水を生じることがある。そうすると、浸入した水が建具の室内側へと流入し、室内への浸水被害を生じる懸念がある。
【０００５】
本発明は、上記従来技術の課題を考慮してなされたものであり、開口枠の下枠に設けた排水口からの浸水を抑制することができる建具を提供することを目的とする。
【課題を解決するための手段】
【０００６】
本発明に係る建具は、障子を支持する開口枠の下枠の室外側見付け面に、前記開口枠の内側に連通する排水口を設けた建具であって、前記排水口を室外側から覆う止水位置と、該止水位置から移動して前記排水口を覆った状態が解除される排水位置とに移動可能な止水部材を前記下枠に設けたことを特徴とする。
【０００７】
このような構成によれば、洪水等によって建具の室外側での水位が排水口を越えて上昇した場合であっても、止水位置となった止水部材で排水口を室外側から覆うことができる。その結果、当該建具は、排水口から開口枠の内側及び室内へと浸水被害を生じることを抑制できる。しかも止水部材は、通常時は排水口を覆った状態を解除した排水位置に配置されることで、排水口からの結露水等の排水が妨げられることもない。
【０００８】
本発明に係る建具において、前記止水部材は、その上端側が前記排水口の下方位置で前記下枠に取り付けられることで、前記排水口の下方に自重で垂れ下がるシート状部材であってもよい。そうすると、止水部材は、その開閉動作のための機構等を別途設けることなく、自重によって解放位置になると共に、水圧によって止水位置となって排水口を室外側から覆うことができる。
【０００９】
本発明に係る建具において、前記シート状部材の比重は、水の比重より小さいことが好ましい。そうすると、室外側で水位上昇する水によって止水部材が容易に浮上するため、止水部材を止水位置へと円滑に動作させることができる。
【００１０】
本発明に係る建具において、前記排水口の下方に垂れ下がった状態のシート状部材の室内側に配置される壁部材と、前記壁部材の室外側に設けられ、前記垂れ下がった状態のシート状部材と前記壁部材との間に介在し、前記シート状部材と前記壁部材との間に水が浸入可能な間隙を形成するガイド部材と、を備える構成であってもよい。そうすると、止水部材が水の水圧を受けて下枠の下方へと潜り込むことを防止でき、止水部材を円滑に止水位置へと動作させることができる。さらに、水が壁部材とガイド部材との間の間隙から止水部材の室内側へと円滑に回り込むため、止水部材が一層円滑に浮上すると共に、止水部材の壁部材への付着を防止できる。
【００１１】
本発明に係る建具において、前記ガイド部材は、上方から下方に向かって次第に室外側に向かって突出するように傾斜した傾斜部を有し、該傾斜部が前記垂れ下がった状態のシート状部材に当接配置される構成であってもよい。そうすると、止水部材は、排水位置においてガイド部材の傾斜部に沿って室外側に傾斜した姿勢で配置されるため、止水部材の止水位置への浮上が一層円滑なものとなる。
【００１２】
本発明に係る建具において、前記止水部材との間に隙間を設けた状態で、少なくとも前記止水部材の側方を室外側から囲む側面壁を有したカバー部材を備える構成であってもよい。そうすると、水の水勢が大きく、当該建具に水が波状に押し当たるような状況であっても、この波をカバー部材の側面壁で打ち消すことができ、止水部材が波打ち等を生じてばたつくことを防止できる。その結果、止水部材は、比較的穏やかにカバー部材内へと流入する水による水圧や浮力によって円滑に浮上して止水位置へと動作することができる。
【００１３】
本発明に係る建具は、障子を支持する開口枠の下枠の室外側見付け面に、前記開口枠の内側に連通する排水口を設けた建具であって、その上端側が前記排水口の下方位置で前記下枠に取り付けられることで、前記排水口の下方に自重で垂れ下がるシート状部材を備えることを特徴とする。
【００１４】
このような構成によれば、洪水等によって建具の室外側での水位が排水口を越えて上昇した場合であっても、自重によって垂れ下がっていた止水部材が水圧によって浮上して排水口を室外側から覆う。その結果、当該建具は、排水口から開口枠の内側及び室内へと浸水被害を生じることを抑制できる。
【発明の効果】
【００１５】
本発明の一態様によれば、開口枠の下枠に設けた排水口からの浸水を抑制することができる。
【図面の簡単な説明】
【００１６】
【図１】本発明の一実施形態に係る建具を室外側から見た正面図である。
【図２】図１に示す建具の下部を拡大した縦断面図である。
【図３】排水弁部品の構成例を示す側面断面図である。
【図４】止水構造を設けた下枠の一部を拡大した正面図である。
【図５Ａ】下枠に止水部材、壁部材及びガイド部材を取り付けた状態での要部拡大斜視図である。
【図５Ｂ】図５Ａに示す状態から止水部材を取り除いた状態での要部拡大斜視図である。
【図５Ｃ】図５Ａに示す状態からカバー部材を取り付けた状態での要部拡大斜視図である。
【図６Ａ】止水構造の通常時の状態を示す要部拡大縦断面図である。
【図６Ｂ】止水構造の止水時の状態を示す要部拡大縦断面図である。
【図７】止水構造の止水時の状態を室外側から見た要部拡大正面図である。
【図８Ａ】変形例に係る止水構造の通常時の状態を示す要部拡大縦断面図である。
【図８Ｂ】図８Ａに示す止水構造の止水時の状態を示す要部拡大縦断面図である。
【発明を実施するための形態】
【００１７】
以下、本発明に係る建具について好適な実施の形態を挙げ、添付の図面を参照しながら詳細に説明する。
【００１８】
図１は、本発明の一実施形態に係る建具１０を室外側から見た正面図である。図２は、図１に示す建具１０の下部を拡大した縦断面図である。
【００１９】
図１及び図２に示すように、建具１０は、建物躯体１１の開口部１１ａに固定される開口枠１２と、開口枠１２の内側で支持される障子１４，１５とを備える。本実施形態では、一方の障子１４が開口枠１２に嵌め殺され、他方の障子１５が開口枠１２にスライド可能に支持された片引き窓の建具１０を例示する。
【００２０】
開口枠１２は、上枠１２ａと、下枠１２ｂと、左右の縦枠１２ｃ，１２ｄとを四周枠組みすることで矩形の開口部を形成したものである。各枠１２ａ〜１２ｄは、例えばアルミニウム等の金属や塩化ビニル樹脂（ＰＶＣ）等の樹脂の押出形材である。各枠１２ａ〜１２ｄは、例えば所定長さで端部を４５度に切断した端部同士が適宜突き合わされ、互いに接合されることで開口枠１２を構成している。各枠１２ａ〜１２ｄは、金属形材と樹脂形材とを組み合わせた複合構造でもよい。障子１４，１５は、框体１４ａ，１５ａの内側に面材１４ｂ，１５ｂを保持した構造である。
【００２１】
本出願において、見込み方向とは建具１０の室内外方向、つまり室内側から室外側に向かう方向又はその逆方向（図中に矢印Ｙで示す方向）をいい、見込み面とは見込み方向に沿って延在する面をいう。見付け方向とは見込み方向に直交する方向であり、上下方向に長尺な縦枠１２ｃ等の場合はその長手方向に直交する左右方向（図中に矢印Ｘで示す方向）をいい、左右方向に長尺な上枠１２ａ等の場合はその長手方向に直交する上下方向（図中に矢印Ｚで示す方向）をいう。見付け面とは見付け方向に沿った面をいう。枠状部材の内側（内周）とは、例えば開口枠１２の枠内部分（開口部）をいう。枠状部材の外側（外周）とは、例えば建具１０の建物躯体１１に固定される枠外部分をいう。
【００２２】
図２に示すように、下枠１２ｂは、障子１４を保持する障子配置部１６が内側見込み面の室外側に設けられ、障子１５の戸車が転動可能に着地するレール１８が内側見込み面の室内側に設けられている。上枠１２ａの内側見込み面にも、障子配置部１６及びレール１８と同様な構造が設けられている。
【００２３】
下枠１２ｂは、室外側から室内側に向かって順に中空部２０，２１，２２，２３，２４，２５を有する。このうち、障子配置部１６に対応する中空部２１の上壁２１ａと、レール１８の見込み方向両側に対応する中空部２３，２５の上壁２３ａ，２５ａとには、結露水等の水Ｗ１が流通可能な孔部が形成されている。各中空部２０〜２５を仕切る各縦壁にも水Ｗ１が流通可能な孔部が形成されている。このため、障子１４，１５から流れ落ちた結露水等の水Ｗ１は、各上壁２１ａ，２３ａ，２５ａの孔部を通して各中空部２０，２３，２５内に落下し、最も室外側の中空部２０へと流入する。
【００２４】
下枠１２ｂは、水Ｗ１が流入する中空部２０の室外側壁となる室外側見付け面２６に、排水弁部品２８を有する。排水弁部品２８は、室外側見付け面２６に形成された矩形の孔部に嵌合装着され、水Ｗ１を外部に排出する排出口を構成する。図３に示すように、排水弁部品２８は、水Ｗ１を流通可能に室内外方向に貫通した排水経路２８ａと、排水経路２８ａを開閉する弁２８ｂとを筐体２８ｃに設けた構造である。弁２８ｂは、例えば矩形状のプレートであり、上端部左右にそれぞれ設けられたヒンジ２８ｄを介して筐体２８ｃに回動可能に軸支されている。弁２８ｂは、通常時は自重或いは弾性体の付勢力によって排水経路２８ａを閉じており、水Ｗ１の水圧で室外側に押圧されることで開弁する（図３中に２点鎖線で示す弁２８ｂ参照）。排水弁部品２８は、弁２８ｂを持たずに排水経路２８ａが常時開口した構成等でもよい。排水弁部品２８を省略し、下枠１２ｂの室外側見付け面２６に設けた開口自体を排水口として利用してもよい。
【００２５】
図２に示すように、下枠１２ｂは、その外側見込み面の室内側端部から室内側に突出した第１取付片３０と、その外側見込み面から下方に突出した第２取付片３１とを有する。下枠１２ｂは、第１取付片３０が建物躯体１１の上面（開口部１１ａの底面）に固定具３２を介して固定され、第２取付片３１が建物躯体１１の室外側面に固定具３２を介して固定される。これにより、下枠１２ｂは、障子１４を保持する障子配置部１６を含む室外側部分が建物躯体１１から室外側に張り出した姿勢で建物躯体１１に固定される。下枠１２ｂは、建物躯体１１から突出した部分の外側見込み面にＬ字状の支持部材３３や外壁部材３４が取り付けられる。つまり本実施形態の建具１０は、その室外側一部分が建物の外壁面（外壁部材３４）よりも室外側に張り出した状態で設置される。
【００２６】
ところで、このような建具１０は、大雨や洪水等によって室外側の水位が上昇し、排水弁部品２８が水没するような状況となった場合、排水弁部品２８及び排水弁部品２８と下枠１２ｂとの嵌合部の隙間を通して水が室内に浸入する可能性がある。そこで、本実施形態の建具１０は、このような室外側から室内側への水の逆流を抑える止水構造４０を備える。
【００２７】
図４は、止水構造４０を設けた下枠１２ｂの一部を拡大した正面図であり、下枠１２ｂの排水弁部品２８及びその周辺部を室外側から見た図である。
【００２８】
図１、図２及び図４に示すように、建具１０は、室外側見付け面２６に設けられた排水口となる排水弁部品２８を室外側から囲繞可能な止水構造４０を備える。止水構造４０は、止水部材４２と、壁部材４４と、ガイド部材４６と、カバー部材４８とを備える。
【００２９】
図５Ａは、下枠１２ｂに止水部材４２、壁部材４４及びガイド部材４６を取り付けた状態での要部拡大斜視図である。図５Ｂは、図５Ａから止水部材４２を取り除いた状態での要部拡大斜視図である。図５Ｃは、図５Ａに示す状態からカバー部材４８を取り付けた状態での要部拡大斜視図である。
【００３０】
図２、図４及び図５Ａに示すように、止水部材４２は、例えば自重によって下方に垂れ下がる柔軟性を持ったシート状部材である。止水部材４２は、その比重が水の比重より小さく、水に浮く性質を有することが好ましい。止水部材４２は、例えばシリコーンやゴム、樹脂等のシートで形成されている。
【００３１】
止水部材４２は、その上端側が下枠１２ｂの下面となる外側見込み面の室外側縁部５０に左右一対のねじ５２，５２を用いて取り付けられている。具体的には、止水部材４２は、下枠１２ｂの下面側に対してその上端側が室外側から差し込まれた状態で、室外側縁部５０にねじ止め固定されている。その結果、止水部材４２は、通常時、下枠１２ｂの室外側見付け面２６及び排水弁部品２８の下方に自重で垂れ下がった状態となる（図２及び図５Ａ参照）。本実施形態の場合、下枠１２ｂの室外側縁部５０には壁部材４４の取付板４４ａが固定される。このため、止水部材４２は、取付板４４ａと室外側縁部５０との間に挟持された状態で、室外側縁部５０に対して取付板４４ａと共にねじ５２で共締めされる。
【００３２】
このような止水部材４２は、室外側縁部５０の端部を支点として上方に捲れ上がった際に、排水弁部品２８を室外側から完全に覆い隠しつつ密着することが可能な形状である。つまり止水部材４２は、排水弁部品２８よりも十分に大きな左右方向（Ｘ方向）の幅寸法と、上方に捲れ上がった際に排水弁部品２８の上方まで覆うことができる上下方向（Ｚ方向）の高さ寸法とを有する。
【００３３】
図２及び図５Ｂに示すように、壁部材４４は、室内外方向の取付板４４ａと、上下方向の壁板４４ｂとを有したアングル状部材である。壁部材４４は、例えばステンレスやスチール、アルミニウム等の金属板を略Ｌ字状に屈曲させた部材である。取付板４４ａは、下枠１２ｂの下面である室外側縁部５０に対し、ねじ５２で締結される部分である。壁板４４ｂは、下枠１２ｂの室外側見付け面２６の下方で、室外側見付け面２６に沿って垂下される。壁板４４ｂは、自重で垂れ下がった止水部材４２の室内側に配置され、止水部材４２が下枠１２ｂの下方に入り込むことを防止する。壁板４４ｂは、室外側見付け面２６よりも室外側に張り出した位置に設けられてもよい。
【００３４】
図２及び図５Ｂに示すように、ガイド部材４６は、壁部材４４の壁板４４ｂの室外側面に左右一対設けられている。各ガイド部材４６は、例えばステンレスやスチール、アルミニウム等の金属板を略Ｕ字状に屈曲させた部材である。各ガイド部材４６は、Ｕ字の底板となる部分がねじ５４を用いて壁板４４ｂに締結される。各ガイド部材４６は、Ｕ字の両側板となる部分の端面が上方から下方に向かって次第に室外側に向かって突出するように傾斜した傾斜部４６ａとなっている。つまり傾斜部４６ａは、上部から下部に向かって次第に室外側見付け面２６から離間する方向に張り出しており、垂れ下がっている止水部材４２の当接支持面となる。これにより、ガイド部材４６は、室外側見付け面２６及び排水弁部品２８の下方に垂れ下がった状態の止水部材４２の室内側面と、壁部材４４の壁板４４ｂとの間に介在し、止水部材４２と壁板４４ｂとの間に水が浸入可能な間隙Ｇを形成する。ガイド部材４６は、間隙Ｇを形成可能であれば、傾斜部４６ａではなく、鉛直方向に延びた端面で止水部材４２を当接支持する構成であってもよい。
【００３５】
図２、図５Ａ及び図５Ｃに示すように、カバー部材４８は、室内側面及び下面の２面が開口した箱状に構成されている。カバー部材４８は、止水部材４２の可動範囲に干渉しない隙間Ｃを設けた状態で止水部材４２を室外側から囲う部品である。カバー部材４８は、例えばステンレスやスチール、アルミニウム等で凸形状に形成した金属板の３面板を室内側に向かって折り曲げた構造である。カバー部材４８は、止水部材４２の上方を囲う上面壁４８ａと、止水部材４２の３側方を囲う側面壁４８ｂ，４８ｃ，４８ｄとを有する。
【００３６】
左右の側面壁４８ｃ，４８ｄの室内側端部には、互いに離間する方向に屈曲された取付片４８ｅがそれぞれ設けられている。各取付片４８ｅには、ねじ５６を挿通可能な貫通孔が形成されている。カバー部材４８は、左右の側面壁４８ｃ，４８ｄが止水部材４２を跨いだ状態で設置され、各取付片４８ｅがねじ５６を用いて壁部材４４の壁板４４ｂに締結される。この取付状態では、カバー部材４８は、上面壁４８ａの室内側端部が止水部材４２及び排水弁部品２８の上方で室外側見付け面２６に当接配置され、左右の側面壁４８ｃ，４８ｄの室内側端部が止水部材４２を跨いだ位置で室外側見付け面２６及び壁板４４ｂに当接配置される。この際、カバー部材４８の下面側には、隙間Ｇを外部と連通させる開口４８ｆが形成される。なお、本実施形態の場合、下枠１２ｂの室外側見付け面２６の上方には、この室外側見付け面２６と略面一に配置されたカバー片５８がねじ５９によってねじ止め固定されている。このため、上面壁４８ａの室内側端部は、実際にはカバー片５８に当接配置される。カバー部材４８は、例えば下枠１２ｂの長手方向に延在し、左右の排水弁部品２８をまとめて囲う構成でもよい。
【００３７】
次に、このような止水構造４０による止水作用を説明する。図６Ａは、止水構造４０の通常時の状態を示す要部拡大縦断面図である。図６Ｂは、止水構造４０の止水時の状態を示す要部拡大縦断面図である。図７は、止水構造４０の止水時の状態を室外側から見た要部拡大正面図である。
【００３８】
先ず、図６Ａに示すように、建具１０の室外側に水が溢れていない通常時には、止水部材４２は自重で下枠１２ｂの室外側見付け面２６及び排水弁部品２８の下方に垂れ下がった状態にあり、その室内側面がガイド部材４６の傾斜部４６ａに当接している。この状態では、止水部材４２の室内側面と壁部材４４の壁板４４ｂとの間にはガイド部材４６による間隙Ｇが形成されている。また、止水部材４２の室外側面とカバー部材４８の内面との間には隙間Ｃが設けられている。この際、止水部材４２は、その上方及び側方がカバー部材４８の上面壁４８ａ及び側面壁４８ｂ〜４８ｄで囲繞されている。このため、止水部材４２はカバー部材４８によって紫外線や風雨、鳥や人の接触等の外的要因から保護されている。
【００３９】
このような通常時、止水部材４２は、室外側見付け面２６及び排水弁部品２８から離間して、排水弁部品２８を覆わずに排水弁部品２８からの排水を許容した排水位置にある。このため、例えば障子１４，１５で生じた結露水等の水Ｗ１は、排水弁部品２８の排水経路２８ａから弁２８ｂを押し開いて外部へと円滑に排水される（図２参照）。
【００４０】
次に、図６Ｂに示すように、大雨や洪水等によって建具１０の室外側に水が溢れ、室外側での水位が上昇した場合、開口４８ｆ等からカバー部材４８の内側の隙間Ｃへと水Ｗが流入する。その結果、カバー部材４８の内側での水位が次第に上昇する。このため、水Ｗは、間隙Ｇから止水部材４２の室内側に回り込みつつ、止水部材４２を浮上させる。そうすると、止水部材４２は、室外側縁部５０の室外側端部を支点として図６Ｂ中で反時計方向に向かって上方に捲れ上がりつつ、水Ｗに対する浮力によって浮上する。例えば、排水弁部品２８の中間高さ程度まで水Ｗの水位が上昇した場合、止水部材４２は図６Ｂ中に２点鎖線で示すように水面に沿って浮きながら排水弁部品２８の下半分に密着し、ここを覆った状態となる。
【００４１】
この際、当該建具１０は、柔軟性を持ったシート状部材である止水部材４２の裏面（室内側面）側に壁部材４４を設けている。このため、止水部材４２が水Ｗの水圧を受けて下枠１２ｂの下方へと潜り込むことが防止される。また、当該建具１０は、ガイド部材４６によって止水部材４２の裏面側と壁部材４４との間に間隙Ｇを形成している。このため、水Ｗが間隙Ｇから止水部材４２の裏側へと円滑に回り込み、止水部材４２が一層円滑に浮上すると共に、止水部材４２の壁板４４ｂへの付着を防止できる。さらにガイド部材４６は、傾斜部４６ａを有するため、止水部材４２の室外側へと捲れながらの浮上が一層円滑なものとなる。
【００４２】
水位がさらに上昇し、例えば排水弁部品２８を完全に水没させるような水位Ｗｈ以上になった場合には（図６Ｂ参照）、止水部材４２は最も上方となる位置まで捲れ上がる。その結果、止水部材４２は、水位Ｗｈとなった水Ｗの水圧によって下枠１２ｂの室外側見付け面２６及び排水弁部品２８に密着し、排水弁部品２８を室外側から完全に覆い隠した止水位置となる。これにより、排水弁部品２８の弁２８ｂ回りの隙間、及び排水弁部品２８と下枠１２ｂとの嵌合部の隙間が止水部材４２によって室外側から覆われる（図７も参照）。このため、水Ｗが排水弁部品２８の弁２８ｂ回りの隙間（排水経路２８ａ）、及びその周囲から開口枠１２の内側へと浸入することが抑制され、室内に浸水被害を生じることを防止できる。
【００４３】
この際、本実施形態の止水部材４２は、水の比重より小さい比重を有するシート状部材であるため、水上昇する水Ｗの水面上に確実に浮き上がりつつ排水弁部品２８を隠すことができる。しかも当該建具１０は、止水部材４２を隙間Ｃを介して囲うカバー部材４８を備える。このため、当該建具１０は、水Ｗの水勢が大きく、建具１０に水Ｗが波状に押し当たるような状況であっても、この波をカバー部材４８（特に側面壁４２ｂ〜４２ｄ）で打ち消すことができ、止水部材４２が波打ち等を生じてばたつくことがない。その結果、止水部材４２は、比較的穏やかにカバー部材４８内へと流入する水Ｗによる水圧や浮力によって円滑に浮上して排水弁部品２８やその周囲の室外側見付け面２６に密着することができる。
【００４４】
図８Ａは、変形例に係る止水構造４０Ａの通常時の状態を示す要部拡大縦断面図である。図８Ｂは、図８Ａに示す止水構造４０Ａの止水時の状態を示す要部拡大縦断面図である。
【００４５】
図８Ａに示すように、止水構造４０Ａは、上記した止水部材４２と略同形状且つ略同質のシート状部材である止水部材４２Ａを有する。止水部材４２Ａは、上記した止水部材４２を予め上方に捲り上げ、その上端側をねじ６０によって室外側見付け面２６（図８Ａではカバー片５８）に締結した構造である。つまり止水部材４２Ａは、下端側が下枠１２ｂの室外側縁部５０にねじ５２で固定され、上端側が下枠１２ｂの室外側見付け面２６にねじ６０で固定されている。なお、図８Ａに示す構成例では、ガイド部材４６を省略しているが、さらに壁部材４４を省略してもよい。
【００４６】
次に、このような止水構造４０Ａによる止水作用を説明する。先ず、図８Ａに示すように、建具１０の室外側に水が溢れていない通常時には、止水部材４２Ａは、下枠１２ｂの室外側見付け面２６及び排水弁部品２８に密着せず、自重で帆状に撓んだ状態となっている。このような通常時、止水部材４２Ａは、室外側見付け面２６及び排水弁部品２８から離間して排水弁部品２８からの排水を許容した排水位置にある。このため、例えば障子１４，１５で生じた結露水等の水Ｗ１は、排水弁部品２８から止水部材４２Ａの左右両側に膨らむように形成された隙間から外部へと円滑に排水できる（図２参照）。
【００４７】
次に、図８Ｂに示すように、大雨や洪水等によって建具１０の室外側に水が溢れ、室外側の水位が上昇した場合は、開口４８ｆ等からカバー部材４８の内側の隙間Ｃへと水Ｗが流入する。その結果、カバー部材４８の内側での水位が次第に上昇するため、水Ｗの水圧で止水部材４２Ａが室内側に向かって押圧される。このため、排水弁部品２８及びその周辺部が下方から次第に止水部材４２Ａによって覆われる。そして、例えば排水弁部品２８を完全に水没させるような水位Ｗｈ以上になった場合（図８Ｂ参照）、止水部材４２Ａは、水Ｗの水圧によって下枠１２ｂの室外側見付け面２６及び排水弁部品２８に密着し、排水弁部品２８を室外側から完全に覆い隠した止水位置となる。これにより、排水弁部品２８及び排水弁部品２８と下枠１２ｂとの嵌合部の隙間が止水部材４２Ａによって室外側から覆われる。このため、水Ｗが排水弁部品２８及びその周囲から開口枠１２の内側へと浸入することが抑制され、室内に浸水被害を生じることを防止できる。
【００４８】
以上のように、本実施形態に係る建具１０は、下枠１２ｂの室外側見付け面２６に排水口となる排水弁部品２８を設けた構成において、排水弁部品２８を室外側から覆う止水位置と、止水位置から移動して排水口を覆った状態が解除され、ここからの排水を許容した排水位置とに移動可能な止水部材４２（４２Ａ）を備える。従って、当該建具１０は、洪水等によって室外側での水位が排水口となる排水弁部品２８を越えて上昇した場合であっても、止水位置となった止水部材４２（４２Ａ）で排水口を室外側から覆って止水することができる。その結果、当該建具１０は、排水口から開口枠１２の内側及び室内へと浸水被害を生じることを抑制できる。なお、止水部材４２（４２Ａ）による排水口の止水作用は、排水口からの浸水を完全に防ぐことができることが望ましいが、少なくとも止水部材４２（４２Ａ）を持たない場合に比べて排水口からの浸水量を低減できればよい。
【００４９】
なお、本発明は、上記した実施形態に限定されるものではなく、本発明の主旨を逸脱しない範囲で自由に変更できることは勿論である。
【００５０】
上記実施形態では、片引き窓である建具１０を例示したが、建具１０は、引違い窓等の他のスライディング窓、開き窓等の回転窓、上げ下げ窓、嵌め殺し窓、ドア等であってもよい。また例えば障子１４は、框体１４ａを持たず、面材１４ｂを直接的に開口枠１２で保持した構成の嵌め殺し構造とされてもよい。
【００５１】
上記実施形態では、止水構造４０は、壁部材４４とガイド部材４６とを備えた構成を例示したが、いずれか一方のみを設けた構成としてもよい。すなわち、仮に壁部材４４を省略したとしても、ガイド部材４６によって壁部材４４の壁板４４ｂの機能を確保することも可能である。同様に、ガイド部材４６を省略したとしても、壁部材４４によってガイド部材４６の機能を確保することも可能である。また、ガイド部材４６を省略する場合、壁部材４４は、壁板４４ｂの角度を傾斜部４６ａと同様に構成してもよい。さらには、ガイド部材４６を省略する場合、壁板４４ｂに多数の孔部を形成するか若しくは壁板４４ｂをパンチングメタルやメッシュ等で形成すると間隙Ｇと同様な効果を得ることができる。換言すれば、この構成では、壁部材４４が実質的にガイド部材として機能することになる。
【符号の説明】
【００５２】
１０  建具、１１  建物躯体、１１ａ  開口部、１２  開口枠、１２ａ  上枠、１２ｂ  下枠、１２ｃ，１２ｄ  縦枠、１４，１５  障子、２０〜２５  中空部、２６  室外側見付け面、２８  排水弁部品、２８ａ  排水経路、４０，４０Ａ  止水構造、４２，４２Ａ  止水部材、４４  壁部材、４４ａ  取付板、４４ｂ  壁板、４６  ガイド部材、４６ａ  傾斜部、４８  カバー部材、４８ａ  上面壁、４８ｂ〜４８ｄ  側面壁、４８ｆ  開口、Ｃ  隙間、Ｇ  間隙
【図１】
2019035200.tif 000003
【図２】
2019035200.tif 000004
【図３】
2019035200.tif 000005
【図４】
2019035200.tif 000006
【図５Ａ】
2019035200.tif 000007
【図５Ｂ】
2019035200.tif 000008
【図５Ｃ】
2019035200.tif 000009
【図６Ａ】
2019035200.tif 000010
【図６Ｂ】
2019035200.tif 000011
【図７】
2019035200.tif 000012
【図８Ａ】
2019035200.tif 000013
【図８Ｂ】
2019035200.tif 000014